(57)【要約】【課題】  並列スタック同士間でのターミナルの絶縁性を確保でき、ターミナルに取付けられるバスバーと周囲部材との干渉を防止できる、燃料電池スタック絶縁構造の提供。【解決手段】（１）複数の燃料電池スタック２３と、絶縁カバー４０とを備え、各燃料電池スタックは、セル積層体、ターミナル２０を有しており、絶縁カバー４０は、燃料電池スタック２３をセル積層方向に部分的に覆い、かつ、ターミナル２０を覆っており、セル積層方向におけるターミナルの位置の変動に追従してセル積層方向に位置が変動可能となるように支持されている。（２）燃料電池スタック間部分４１ａを有する絶縁部材４１がさらに設けられており、燃料電池スタック間部分４１ａのセル積層方向長さは、ターミナルのセル積層方向位置が変動しても該絶縁部材の燃料電池スタック間部分のセル積層方向端部がターミナルよりセル積層方向外側に突出しない長さに設定されている。【選択図】        図２
2006236792.tif 000002
【特許請求の範囲】
【請求項１】
複数の燃料電池スタックと、絶縁カバーとを備え、
前記複数の燃料電池スタックは間隔を置いて並列に配置されており、各燃料電池スタックは、セル積層体、該セル積層体の端部に設けられたターミナルを有しており、
前記絶縁カバーは、燃料電池スタックをセル積層方向に部分的に覆い、かつ、前記ターミナルを覆っており、前記絶縁カバーは、セル積層方向におけるターミナルの位置の変動に追従してセル積層方向に位置が変動可能となるように支持されている、
燃料電池スタック絶縁構造。
【請求項２】
互いに隣接する燃料電池スタックのターミナルは互いに近接する辺にセル積層方向外側に延びる端子部を有しており、
互いに隣接する燃料電池スタックのターミナルの端子部は前記近接する辺の延在方向に互いに位置がずれており、
互いに隣接する燃料電池スタックにそれぞれ設けられた絶縁カバーは、該絶縁カバーが設けられた燃料電池スタックを部分的に覆って、対向する燃料電池スタックのターミナル端子部から絶縁している、
請求項１記載の燃料電池スタック絶縁構造。
【請求項３】
前記絶縁カバーは、前記インシュレータに固定されている、請求項１記載の燃料電池スタック絶縁構造。
【請求項４】
燃料電池スタック間部分を有する絶縁部材がさらに設けられており、前記絶縁カバーは前記絶縁部材の燃料電池スタック間部分に対してセル積層方向に位置が変動可能である請求項１〜請求項３の何れか一項記載の燃料電池スタック絶縁構造。
【請求項５】
燃料電池スタック間部分を有する絶縁部材がさらに設けられており、前記絶縁部材のうち燃料電池スタック間部分のセル積層方向長さは、ターミナルのセル積層方向位置が変動しても該絶縁部材の燃料電池スタック間部分のセル積層方向端部がターミナルよりセル積層方向外側に突出しない長さに設定されている請求項１〜請求項４の何れか一項記載の燃料電池スタック絶縁構造。
【請求項６】
前記絶縁部材は燃料電池スタック間部分と燃料電池スタック間部分以外の部分とを有しており、前記燃料電池スタック間部分のセル積層方向端部を切り欠くことにより、前記燃料電池スタック間部分は前記燃料電池スタック間部分以外の部分よりセル積層方向に短く形成されている請求項５記載の燃料電池スタック絶縁構造。
【発明の詳細な説明】
【技術分野】
【０００１】
本発明は、燃料電池スタック絶縁構造に関する。
【背景技術】
【０００２】
特開２００３−２１５１９０号公報は、複数のセルを積層し端部にターミナル、インシュレータ、エンドプレートを配置して構成した燃料電池スタックを、２個、互いに並列に配置した燃料電池スタック並列配置構造を開示している。２スタックは同じ側の一端で電気的に直列接続され、他端で一つのスタックのターミナルに＋のバスバー（出力ケーブル）が接続され、もう一つのスタックのターミナルに−のバスバー（出力ケーブル）が接続されて、外部回路に接続される。
【特許文献１】特開２００３−２１５１９０号公報
【発明の開示】
【発明が解決しようとする課題】
【０００３】
従来の燃料電池スタック並列配置構造にはつぎの課題がある。
（イ）並列配置の燃料電池スタック間の隙間の寸法が小さいため、ターミナルの端子部にバスバー（出力ケーブル）を接続する際、バスバー（出力ケーブル）が隣りの燃料電池スタックのターミナル（該ターミナルの端子部を含む）またはそれに接続されたバスバー（出力ケーブル）と干渉しやすく、干渉が生じると＋側のターミナルと−側のターミナル間の絶縁を確保できなくなる。
（ロ）図７に示すように、絶縁を確保するために並列スタック１、２間にターミナル３、４間をカバーするように長めの絶縁板５を入れると、端子部６、７にバスバー（出力ケーブル）を接続する際に、バスバーが絶縁板に干渉し、バスバーの取付けが不能になるか困難になる。その理由は、セル厚のばらつきや熱膨張等によってターミナル位置がセル積層方向に変動してばらつくので、絶縁板はセル積層体のセル積層方向の長さが最大時でも絶縁できるよう、長めに長さが設定されることになるが、セル積層体のセル積層方向の長さが最小時にバスバー（出力ケーブル）を接続すると、バスバー（出力ケーブル）と絶縁板の干渉が起きるからである。
【０００４】
本発明の目的は、複数の燃料電池のスタックが並列に配置され、各スタックのセル積層方向に同じ側の端部のターミナル（端子部を含む）からバスバー（出力ケーブル）を介して電気が取り出される燃料電池スタック並列配置構造において、
（イ）並列スタック同士間でのターミナル（端子部を含む）の絶縁性を確保でき、かつ
（ロ）ターミナルに取付けられるバスバー（出力ケーブル）と周囲部材（たとえば、燃料電池スタック間に絶縁板が配置される場合における、絶縁板）との干渉を防止できる、
燃料電池スタック絶縁構造を提供することにある。
【課題を解決するための手段】
【０００５】
上記課題を解決する、そして上記目的を達成する、本発明は、つぎのとおりである。
（１）  複数の燃料電池スタックと、絶縁カバーとを備え、
前記複数の燃料電池スタックは間隔を置いて並列に配置されており、各燃料電池スタックは、セル積層体、該セル積層体の端部に設けられたターミナルを有しており、
前記絶縁カバーは、燃料電池スタックをセル積層方向に部分的に覆い、かつ、前記ターミナルを覆っており、前記絶縁カバーは、セル積層方向におけるターミナルの位置の変動に追従してセル積層方向に位置が変動可能となるように支持されている、
燃料電池スタック絶縁構造。
（２）  互いに隣接する燃料電池スタックのターミナルは互いに近接する辺にセル積層方向外側に延びる端子部を有しており、
互いに隣接する燃料電池スタックのターミナルの端子部は前記近接する辺の延在方向に互いに位置がずれており、
互いに隣接する燃料電池スタックにそれぞれ設けられた絶縁カバーは、該絶縁カバーが設けられた燃料電池スタックを部分的に覆って、対向する燃料電池スタックのターミナル端子部から絶縁している、（１）記載の燃料電池スタック絶縁構造。
（３）  前記絶縁カバーは、前記インシュレータに固定されている、（１）記載の燃料電池スタック絶縁構造。
（４）  燃料電池スタック間部分を有する絶縁部材がさらに設けられており、前記絶縁カバーは前記絶縁部材の燃料電池スタック間部分に対してセル積層方向に位置が変動可能である（１）〜（３）の何れかに記載の燃料電池スタック絶縁構造。
（５）  燃料電池スタック間部分を有する絶縁部材がさらに設けられており、前記絶縁部材のうち燃料電池スタック間部分のセル積層方向長さは、ターミナルのセル積層方向位置が変動しても該絶縁部材の燃料電池スタック間部分のセル積層方向端部がターミナルよりセル積層方向外側に突出しない長さに設定されている（１）〜（４）の何れかに記載の燃料電池スタック絶縁構造。
（６）  前記絶縁部材は燃料電池スタック間部分と燃料電池スタック間部分以外の部分とを有しており、前記燃料電池スタック間部分のセル積層方向端部を切り欠くことにより、前記燃料電池スタック間部分は前記燃料電池スタック間部分以外の部分よりセル積層方向に短く形成されている（５）記載の燃料電池スタック絶縁構造。
【発明の効果】
【０００６】
上記（１）の燃料電池スタック絶縁構造によれば、
（イ）絶縁カバーが、燃料電池スタックをセル積層方向に部分的に覆い、かつ、ターミナルを覆っているので、並列スタック同士間でのターミナル（端子部を含む）の絶縁性を確保できる。
（ロ）また、絶縁カバーが、セル積層方向におけるターミナルの位置の変動に追従してセル積層方向に位置が変動可能となるように支持されているので、スタック同士の絶縁を確保したままスタック間の絶縁板のセル積層方向長さを短かめに設定でき、その結果、バスバー（出力ケーブル）と周囲部材（たとえば、隣りの燃料電池スタックのターミナルや、燃料電池スタック間に絶縁板が配置される場合の絶縁板）との干渉を防止できる。
上記（２）の燃料電池スタック絶縁構造によれば、互いに隣接する燃料電池スタックのターミナルの端子部は前記近接する辺の延在方向（伸長方向）に互いに位置がずれているので、互いに隣接する燃料電池スタックのターミナルの端子部間の距離が大となる。その結果、隣接スタックの端子部が対向、近接している場合に比べて、絶縁が容易となるとともに、バスバー（出力ケーブル）と、隣りのスタックのターミナルおよびバスバーとの干渉防止も容易となる。
上記（３）の燃料電池スタック絶縁構造によれば、絶縁カバーが、インシュレータに固定されているので、セル積層体のセル積層方向長さの変動による、インシュレータの位置、ターミナルの位置の変動に対応させて絶縁カバーの位置を変動させることができる。もしも絶縁カバーが並列スタック間の絶縁部材に固定されていると位置が一定となりセル積層体のセル積層方向長さの変動に応じて位置が変動しなくなるので、並列スタックのターミナル間の絶縁を確保しようとすれば並列スタック間の絶縁部材のセル積層方向長さを長めにとる必要が生じ、バスバー取付け時にバスバーと並列スタック間の絶縁部材との干渉の問題が生じるが、本発明ではその問題を解消できる。
上記（４）の燃料電池スタック絶縁構造によれば、燃料電池スタック間部分を有する絶縁部材がさらに設けられており、絶縁カバーは絶縁部材の燃料電池スタック間部分に対してセル積層方向に位置が変動可能であるので、並列スタック間の絶縁部材のセル積層方向長さを長めにとる必要がなく、バスバー取付け時にバスバーと並列スタック間の絶縁部材との干渉を防止することができる。
上記（５）の燃料電池スタック絶縁構造によれば、絶縁部材のうち燃料電池スタック間部分のセル積層方向長さが、ターミナルのセル積層方向位置が変動しても該絶縁部材の燃料電池スタック間部分のセル積層方向端部がターミナルよりセル積層方向外側に突出しない長さに設定されているので、バスバー取付け時にバスバーと並列スタック間の絶縁部材との干渉を防止することができる。
上記（６）の燃料電池スタック絶縁構造によれば、絶縁部材の燃料電池スタック間部分のセル積層方向端部を切り欠いたので、容易に、燃料電池スタック間部分を燃料電池スタック間部分以外の部分よりセル積層方向に短く形成することができる。
【発明を実施するための最良の形態】
【０００７】
以下に、本発明の燃料電池スタック絶縁構造を、図１〜図６を参照して説明する。
本発明の燃料電池スタック絶縁構造が適用される燃料電池は、たとえば固体高分子電解質型燃料電池１０である。燃料電池１０は、たとえば燃料電池自動車に搭載される。ただし、自動車以外に用いられてもよい。
【０００８】
固体高分子電解質型燃料電池（セル）１０は、図４〜図６に示すように、膜−電極アッセンブリ（ＭＥＡ：Membrane-Electrode Assembly ）とセパレータ１８との積層体からなる。
膜−電極アッセンブリは、イオン交換膜からなる電解質膜１１とこの電解質膜の一面に配置された触媒層からなる電極（アノード、燃料極）１４および電解質膜の他面に配置された触媒層からなる電極（カソード、空気極）１７とからなる。膜−電極アッセンブリとセパレータ１８との間には、アノード側、カソード側にそれぞれ拡散層１３、１６が設けられる。
膜−電極アッセンブリとセパレータ１８を重ねてセルモジュール１９（１セルで１モジュールを構成する場合はセル１０とセルモジュール１９は同じになる）を構成し、セルモジュール１９を積層してセル積層体とし、セル積層体のセル積層方向両端に、ターミナル２０、インシュレータ２１、エンドプレート２２をセル積層体からセル積層方向外側に向かって順に配置し、両端のエンドプレート２２をセル積層体の外側でセル積層方向に延びる締結部材（たとえば、テンションプレート２４）にボルト・ナット２５にて固定し、一端のエンドプレートに設けた調整ネジにてその内側に設けたバネを介してセル積層体にセル積層方向の締結荷重をかけ、燃料電池スタック２３を構成する。
【０００９】
セパレータ１８には、発電領域において、アノード１４に燃料ガス（水素）を供給するための燃料ガス流路２７が形成され、カソード１７に酸化ガス（酸素、通常は空気）を供給するための酸化ガス流路２８が形成されている。また、セパレータ１８には冷媒（通常、冷却水）を流すための冷媒流路２６も形成されている。セパレータ１８には、非発電領域において、燃料ガスマニホールド３０、酸化ガスマニホールド３１、冷媒マニホールド２９が形成されている。燃料ガスマニホールド３０は燃料ガス流路２７と連通しており、酸化ガスマニホールド３１は酸化ガス流路２８と連通しており、冷媒マニホールド２９は冷媒流路２６と連通している。
燃料ガス、酸化ガス、冷媒は、セル内において互いにシールされている。各セルモジュール１９のＭＥＡを挟む２つのセパレータ１８間は、第１のシール部材（接着剤）３３によってシールされており、隣接するセルモジュール１９同士の間は、第２のシール部材（ガスケット）３２によってシールされている。
【００１０】
各セル１０において、アノード１４側では、水素を水素イオン（プロトン）と電子に変換する電離反応が行われ、水素イオンは電解質膜１１中をカソード１７側に移動し、カソード１７側では酸素と水素イオンおよび電子（隣りのＭＥＡのアノードで生成した電子がセパレータを通してくる、またはセル積層方向一端のセルのアノードで生成した電子が外部回路を通して他端のセルのカソードにくる）から水が生成され、次式にしたがって発電が行われる。
アノード側：Ｈ2 →２Ｈ+ ＋２ｅ- 
カソード側：２Ｈ+ ＋２ｅ- ＋（１／２）Ｏ2 →Ｈ2 Ｏ
【００１１】
各セル１０の発電電圧は約１ボルトであるため、約４００ボルトの電圧を得るためには、４００セルを積層することになるが、車両への搭載上の点から、これをたとえば２スタックに分け、２００セルを積層したスタックを並列に配置し、一端側で電気を取り出し、他端側で電気的に直列に接続する。
図１〜図３に示すように、ひとつのスタックのターミナルはマイナス端子部を有し、もうひとつのスタックのターミナルはプラス端子部を有する。ひとつのスタックのターミナルのマイナス端子部の電位が０ボルトとすると、もうひとつのスタックのターミナルのプラス端子部の電位が４００ボルトである。
ただし、スタック数が複数で並列配置のスタックの同じ端部側から電気を取り出すものあればスタック数は２に限るものではない。
【００１２】
図１〜図３は、複数スタック２３の電気取り出し側端部のターミナル２０とその近傍の構造を示す。
本発明の燃料電池スタック絶縁構造は、複数の燃料電池スタック２３と、絶縁カバー４０とを備えている。
複数の燃料電池スタック２３は間隔（たとえば、数ｍｍの間隔）を置いて並列に配置されている。各燃料電池スタック２３は、セル積層体、該セル積層体の端部にセル積層方向に順に設けられたターミナル２０、インシュレータ２１、エンドプレート２２を有している。ターミナル２０はセリ積層方向外側に折り曲げられた舌片状の端子部２０ａを有し、この端子部２０ａにバスバー（出力ケーブル）６０の端部がねじ等にて取付けられる。インシュレータ２１、エンドプレート２２の、ターミナル２０の端子部２０ａが通る部位は切欠きかれており、端子部２０ａと干渉せず、導通しない。
【００１３】
絶縁カバー４０は、燃料電池スタック２３をセル積層方向に部分的に覆い、かつ、電気取り出し側のスタック端部のターミナル２０を覆っている。絶縁カバー４０は、スタックの電気取り出し側の端部のターミナルとその内側の複数のセルを覆っているが、スタック全長を覆うものではない。
セル厚のばらつきによるセル積層体の端部の位置のばらつきや、セルの熱膨張によるセル積層体の端部の位置のばらつきによって、ターミナル２０の位置が、スタックケーシング５０やそれに固定される絶縁部材４１に対して、たとえば２０〜３０ｍｍ（ただし、この値に限るものではない）、変動する。絶縁カバー４０は、セル積層方向におけるターミナル２０の位置の変動に追従してセル積層方向に位置が、スタックケーシング５０やそれに固定される絶縁部材４１に対して、変動可能となるように支持されている。
【００１４】
互いに隣接する燃料電池スタック２３のターミナル２０に形成される端子部２０ａは、は並列された燃料電池スタック２３のターミナル２０の互いに近接して互いに平行に延びている辺２０ｂに形成されている。
互いに隣接する燃料電池スタック２３のターミナル２０の端子部２０ａは、近接する辺２０ｂの延在方向（伸長方向）と平行な方向に互いに位置がずれている。
互いに隣接する燃料電池スタック２３にそれぞれ設けられた絶縁カバー４０は、該絶縁カバー４０が設けられた燃料電池スタック２３を部分的に覆って、対向する燃料電池スタック２３のターミナル端子部２０ａから絶縁している。したがって、一つの燃料電池スタック２３のターミナル２０の端子部２０ａに対向する、隣接燃料電池スタック２３のターミナル２０部分は、絶縁カバー４０によって覆われている。
【００１５】
絶縁カバー４０は、インシュレータ２１に固定されている。絶縁カバー４０は、セル積層方向に延びてスタック側面を覆う第１の部分４０ａと、セル積層方向と直交する方向に延びる第２の部分４０ｂとを有する。絶縁カバー４０は、第２の部分４０ｂで、インシュレータ２１に固定される。インシュレータ２１は、剛体部とそのセル積層体側に取付けられる絶縁材部とを有するが、絶縁カバー４０の第２の部分４０ｂは、インシュレータ２１の剛体部に接着剤やねじ等により固定され、第２の部分４０ｂが固定される部分では絶縁材部が切り欠かれている。
【００１６】
絶縁カバー４０の第１の部分４０ａは、対向する隣接スタックのターミナル端子部２０ａに対応する部位に少なくともあればよく、スタック２３の（セル積層方向と直交する）全高さにわたって設けられている必要はない。図２では、第１のスタック２３の絶縁カバー４０の第１の部分４０ａは、ターミナル２０の近接する辺２０ｂの延在方向（伸長方向）と平行な方向の一部にだけ配置されており、第２のスタック２３の絶縁カバー４０の第１の部分４０ａも、ターミナル２０の近接する辺２０ｂの延在方向（伸長方向）と平行な方向の一部にだけ配置されており、第１のスタック２３の絶縁カバー４０の第１の部分４０ａと第２のスタック２３の絶縁カバー４０の第１の部分４０ａとは、一部を重ね合わせて、位置を互いにずらしてある。
【００１７】
燃料電池スタック間部分４１ａを有する絶縁部材４１がさらに設けられている。絶縁部材４１は、たとえばスタックケーシング５０に固定される。絶縁カバー４０と絶縁部材４１とは互いに別部材として形成されている。
絶縁カバー４０は、絶縁部材４１の燃料電池スタック間部分４１ａに対してセル積層方向に位置が変動可能である。
【００１８】
絶縁部材４１のうち燃料電池スタック間部分４１ａのセル積層方向長さは、ターミナル２０のセル積層方向位置が変動しても該絶縁部材４１の燃料電池スタック間部分４１ａのセル積層方向端部がターミナル２０のセル面平行部２０ｂよりセル積層方向外側に突出しない長さに設定されており、図７に比べて、短めに設定されている。
ただし、絶縁カバー４０の第１の部分４０ａの長さは、絶縁カバー４０の位置がセル積層方向に変動しても、絶縁部材４１の燃料電池スタック間部分４１ａのセル積層方向端部（スタックの電気取り出し側のセル積層方向端部）とオーバラップするように、設定されている。
【００１９】
図３に示すように、絶縁部材４１は燃料電池スタック間部分４１ａと燃料電池スタック間部分以外の部分４１ｂとを有している。燃料電池スタック間部分以外の部分４１ｂは、セル積層体を横断面方向にまわりから囲んでいる。燃料電池スタック間部分４１ａは隣接する燃料電池スタック２３に対して共有され、１つの絶縁材壁に形成されている。燃料電池スタック間部分４１ａのセル積層方向端部を切り欠くことにより、燃料電池スタック間部分４１ａは燃料電池スタック間部分以外の部分４１ｂよりセル積層方向に短く形成されている。
【００２０】
並列配置の複数の燃料電池スタック２３は、共通の単一のスタックケーシング５０内に収められている。スタックケーシング５０の内面には絶縁塗料が塗布されて絶縁層５１が形成されている。
【００２１】
つぎに、本発明の燃料電池スタック絶縁構造の作用、効果を説明する。
絶縁カバー４０が、燃料電池スタック２３をセル積層方向に部分的に覆い、かつ、ターミナル２０を覆っているので、並列燃料電池スタック２３同士間でターミナル２０（端子部２０ａを含む）は絶縁カバー４０で隔てられてターミナル２０（端子部２０ａを含む）が接触することはなく、並列燃料電池スタック２３同士間でのターミナル２０（端子部２０ａを含む）の絶縁性を確保できる。
【００２２】
また、絶縁カバー４０が、セルの厚さのばらつきや熱膨張等によるセル積層方向におけるターミナル２０の位置の変動に追従してセル積層方向に位置が変動可能となるように支持されているので、スタック２３同士の絶縁を確保したまま、絶縁カバー４０とは別部材としたスタック間絶縁板部分４１ａのセル積層方向長さを短かめに設定することができる。スタック間絶縁板部分４１ａのセル積層方向長さを短かめに設定することにより、ターミナル２０の端子部２０ａにバスバー６０を取付ける際に、バスバー（出力ケーブル）と周囲部材（たとえば、隣りの燃料電池スタック２３のターミナル２０や、燃料電池スタック２３間に絶縁板４１ａが配置される場合の絶縁板４１ａ）との干渉を防止することができる。
【００２３】
図２に示すように、互いに隣接する燃料電池スタック２３のターミナル２０の端子部２０ａは近接する辺２０ｂの延在方向（伸長方向）に互いに位置がずれているので、互いに隣接する燃料電池スタック２３のターミナル２０の端子部２０ａ間の距離が、隣接燃料電池スタック２３の端子部２０ａが対向している場合に比べて、大となる。その結果、隣接スタック２３の端子部２０ａが対向、近接している場合に比べて、絶縁が容易となるとともに、バスバー（出力ケーブル）と、隣りのスタック２３のターミナル２０およびバスバーとの干渉防止も容易となる。
【００２４】
また、絶縁カバー４０が、インシュレータ２１に固定されているので、セル積層体のセル積層方向長さの変動による、インシュレータ２１の位置、ターミナル２０の位置の変動に対応させて（追従させて）、絶縁カバー４０の位置をセル積層方向に変動させることができる。もしも絶縁カバー４０が並列スタック間の絶縁部材４１ａに固定されていると位置が固定されて一定（不変）となり、セル積層体のセル積層方向長さの変動に応じて位置が変動しなくなるので、並列スタック２３のターミナル間の絶縁を確保しようとすれば並列スタック２３間の絶縁部材４１ａのセル積層方向長さを長めにとる必要が生じ、バスバー取付け時にバスバー６０と並列スタック間の絶縁部材４１ａとの位置の干渉の問題が生じるが、本発明ではその問題を解消できる。
【００２５】
燃料電池スタック間部分４１ａを有する絶縁部材４１がさらに設けられており、絶縁カバー４０は絶縁部材４１の燃料電池スタック間部分４１ａに対してセル積層方向に位置が変動可能（移動可能）であるので、図７に示したように並列スタック間の絶縁部材のセル積層方向長さを長めにとる必要がなく、バスバー取付け時にバスバー６０と並列スタック間の絶縁部材４１ａとの干渉を防止することができる。
【００２６】
絶縁部材４１のうち燃料電池スタック間部分４１ａのセル積層方向長さが、ターミナル２０のセル積層方向位置が変動しても該絶縁部材４１の燃料電池スタック間部分４１ａのセル積層方向端部がターミナルよりセル積層方向外側に突出しない長さに設定されているので、バスバー６０の端子部２０ａへの取付け時にバスバー６０と並列スタック間の絶縁部材４１ａとの干渉を防止することができる。
【００２７】
燃料電池スタック間部分４１ａは、並列配置の燃料電池スタックのひとつの燃料電池スタック２３の絶縁部材４１の燃料電池スタック間部分以外の部分４１ｂと一体に形成されている。絶縁部材４１の燃料電池スタック間部分４１ａのセル積層方向端部を切り欠いたので、容易に、燃料電池スタック間部分４１ａを燃料電池スタック間部分以外の部分４１ｂよりセル積層方向に短く形成することができる。
【図面の簡単な説明】
【００２８】
【図１】本発明の燃料電池スタック絶縁構造の、ターミナルおよび絶縁カバーを含む、燃料電池スタックの電気取り出し側端部とその近傍の、平面図である。
【図２】本発明の燃料電池スタック絶縁構造の、ターミナルおよび絶縁カバーを含む、燃料電池スタックの電気取り出し側端部とその近傍の、斜視図である。
【図３】本発明の燃料電池スタック絶縁構造の、ターミナルおよび絶縁カバーを含む、燃料電池スタックの電気取り出し側端部とその近傍の、正面図である。
【図４】本発明の燃料電池スタック絶縁構造が適用される燃料電池スタックの側面図である。
【図５】図３の一部拡大断面図である。
【図６】図３のセルの正面図である。
【図７】従来の燃料電池スタック絶縁構造の、燃料電池スタックの電気取り出し側端部とその近傍の、平面図である。
【符号の説明】
【００２９】
１０  （固体高分子電解質型）燃料電池
１１  電解質膜
１３、１６  拡散層
１４  アノード
１７  カソード
１８  セパレータ
１９  セル
２０  ターミナル
２０ａ  端子部
２１  インシュレータ
２２  エンドプレート
２３  燃料電池スタック
２４  締結部材（テンションプレート）
２５  ボルト・ナット
２６  冷媒流路（流体流路）
２７  燃料ガス流路（流体流路）
２８  酸化ガス流路（流体流路）
２９  冷媒マニホールド（流体マニホールド）
３０  燃料ガスマニホールド（流体マニホールド）
３１  酸化ガスマニホールド（流体マニホールド）
３２  シール材（ガスケット）
３３  接着剤
４０  絶縁カバー
４０ａ  第１の部分
４０ｂ  第２の部分
４１  絶縁部材
４１ａ  燃料電池スタック間部分
４１ｂ  燃料電池スタック間部分以外の部分
５０  スタックケーシング
５１  絶縁層
６０  バスバー（出力ケーブル）
【図１】
2006236792.tif 000003
【図２】
2006236792.tif 000004
【図３】
2006236792.tif 000005
【図４】
2006236792.tif 000006
【図５】
2006236792.tif 000007
【図６】
2006236792.tif 000008
【図７】
2006236792.tif 000009